(57)【要約】      （修正有）【課題】キャンペーンシリアル番号の管理と発行システムを提供する。【解決手段】バーコードをスキャンして少なくとも１つのバーコードに対応する少なくとも１つのスキャン信号を生成することと、スキャン信号によって決済リストを生成することと、決済リスト及び進呈条件によってイネーブル信号を生成することと、イネーブル信号によってストレージユニット内からシリアル番号マスターファイル内の未使用の少なくとも１つのシリアル番号を読み出すと共にシリアル番号マスターファイル内の読み出されたシリアル番号を使用済みとマークすることと、イネーブル信号によって少なくとも１つのキャンペーン情報ファイル内のいずれかを取得すると共に読み出したシリアル番号と取得したキャンペーン情報ファイルによってシリアル番号入り引換券を生成することと、プリントユニットを用いて決済リスト及びシリアル番号入り引換券を用紙上にプリントすることと、を含む。【選択図】図１２Ａ
2016100022.tif 000002
【特許請求の範囲】
【請求項１】
少なくとも１つのバーコードをスキャンして前記少なくとも１つのバーコードに対応する少なくとも１つのスキャン信号を生成するためのバーコードスキャナと、
前記バーコードスキャナに接続し、前記少なくとも１つのスキャン信号によって決済リストを生成するためのレジモジュールと、
前記レジモジュールに接続し、前記決済リスト及び進呈条件によってイネーブル信号を生成するためのキャンペーン判断モジュールと、
複数のシリアル番号を含むシリアル番号マスターファイルを保存するためのストレージユニットと、
前記キャンペーン判断モジュールと前記ストレージユニットに接続し、前記イネーブル信号によって前記ストレージユニットから前記シリアル番号内の未使用の少なくとも１つのシリアル番号を読み出し、且つ前記シリアル番号マスターファイル内の読み出された前記少なくとも１つのシリアル番号を使用済みにマークするためのシリアル番号読取モジュールと、
前記シリアル番号読取モジュールと前記ストレージユニットに接続し、前記イネーブル信号によって少なくとも１つのキャンペーン情報ファイル内のいずれかを取得し、且つ読み出した前記少なくとも１つのシリアル番号と取得したキャンペーン情報ファイルによってシリアル番号入り引換券を生成するための生成モジュールと、
前記レジモジュールと前記生成モジュールに接続し、前記決済リスト及び前記シリアル番号入り引換券を少なくとも１枚の用紙上にプリントするためのプリントユニットと、を含むことを特徴とする、
キャンペーンシリアル番号の発行システム。
【請求項２】
前記ストレージユニットに接続し、前記シリアル番号マスターファイル内の未使用のシリアル番号の残存数が水位制限を下回るかどうかを判断し、且つ前記残存数が前記水位制限を下回った時、番号割り当て要求を生成するための水位判断モジュールと、水位判断モジュールに接続し、且つネットワークを経由して管理システムにリンクし、また前記ネットワークを経由して前記番号割り当て要求を前記管理システムに出力することで、前記管理システムから返された新しい複数のシリアル番号を取得するためのネットワークモジュールと、を更に含むことを特徴とする請求項１に記載のキャンペーンシリアル番号の発行システム。
【請求項３】
前記生成モジュールは、前記シリアル番号読取モジュールと前記ストレージユニットに接続し、読み出した前記少なくとも１つのシリアル番号と取得した前記キャンペーン情報ファイルを合併して前記シリアル番号入り引換券となるための合成モジュールを含むことを特徴とする請求項１又は２に記載のキャンペーンシリアル番号の発行システム。
【請求項４】
前記生成モジュールは、前記シリアル番号読取モジュールに接続し、読み出した前記少なくとも１つのシリアル番号によって少なくとも１つのバーコードを生成するためのバーコード生成モジュールと、前記バーコード生成モジュールと前記ストレージユニットに接続し、前記少なくとも１つのバーコードと取得した前記キャンペーン情報ファイルを合併して前記シリアル番号入り引換券となるための合成モジュールと、を含むことを特徴とする請求項１又は２に記載のキャンペーンシリアル番号の発行システム。
【請求項５】
前記生成モジュールは、前記シリアル番号読取モジュールに接続し、読み出した前記少なくとも１つのシリアル番号及び基本アドレスバーによって少なくとも１つのリンク先ＵＲＬを生成するためのＵＲＬ生成モジュールと、前記バーコード生成モジュールと前記ストレージユニットに接続し、前記少なくとも１つのリンク先ＵＲＬを取得した前記キャンペーン情報ファイルと合併して前記シリアル番号入り引換券となるための合成モジュールと、を含むことを特徴とする請求項１又は２に記載のキャンペーンシリアル番号の発行システム。
【請求項６】
前記少なくとも１つのキャンペーン情報ファイルの数量は、複数で、且つ各前記キャンペーン情報ファイルが一対一で完全な図案の複数図案ブロックのいずれかを有することを特徴とする請求項１又は２に記載のキャンペーンシリアル番号の発行システム。
【発明の詳細な説明】
【技術分野】
【０００１】
本発明は、コンビニエンスストアのマーケティングキャンペーン実施技術に係り、特に、キャンペーンシリアル番号の管理と発行システム及びその方法に関する。
【背景技術】
【０００２】
現在、各業種間の商業競争が非常に激しく、如何にして消費者を惹き付け、購買行動を促進させることでビジネスチャンスを得るかが、企業或いは店舗の継続経営や生き残りのためのカギとなっている。消費者の心を惹きつけ、購買に至らせ、買い続けてもらうため、多くの店舗では、様々なマーケティングプランを発表することで、消費者の購買意欲を刺激している。これらマーケティングプランには、購買行動に伴う優待割引クーポン券、プレゼント、ポイントによる賞品交換等の特典の提供を含む。
【０００３】
例を挙げると、店舗がゲーム会社と提携して、各種マーケティングプランでオンラインゲームをプロモーションすると共に消費者の購買意欲を刺激する。マーケティングプランの多くは、決済内容に合わせゲーム内のバーチャルグッズを進呈することで、消費者の当該ゲームプレイ及び消費意欲を刺激する。現在のバーチャルグッズの進呈方法は、決済内容が進呈条件を満たした時、消費者にバーチャルグッズの引換券を提供している。消費者に必要がある時、消費者は更に引換券で店員と事前に準備されていた実カードと引き換える。
しかし、実カードは、マーケティングキャンペーン開始前に予め印刷や製作する必要があり、また実カードの印刷や製作コストが非常に高くエコではない。且つ、手作業による配布方法は比較的手間がかかり、また実カードの消耗枚数を容易にコントロールできない。更に、マーケティングキャンペーン期間において、手作業で実カードの補充調査を行わなければならない。マーケティングキャンペーンが終了した時、手作業で実カードの回収及び数量の集計も行わなければならない。
【発明の概要】
【発明が解決しようとする課題】
【０００４】
上記課題を解決するために、鋭意研究を重ねた結果、以下の発明を完成するに至った。
【課題を解決するための手段】
【０００５】
一実施例において、キャンペーンシリアル番号の発行システムは、バーコードスキャナとレジモジュールとキャンペーン判断モジュールとストレージユニットとシリアル番号読取モジュールと生成モジュールとプリントユニットとを含む。バーコードスキャナは、少なくとも１つのバーコードをスキャンして少なくとも１つのバーコードに対応する少なくとも１つのスキャン信号を生成するために用いられる。レジモジュールがバーコードスキャナに接続し、且つ少なくとも１つのスキャン信号によって決済リストを生成するために用いられる。キャンペーン判断モジュールがレジモジュールに接続し、且つ決済リスト及び進呈条件によってイネーブル信号を生成するために用いられる。ストレージユニットは、シリアル番号マスターファイルを保存し、且つこのシリアル番号マスターファイルが異なる複数のシリアル番号を含む。シリアル番号読取モジュールが、キャンペーン判断モジュールとストレージユニットに接続し、イネーブル信号によってストレージユニットから未使用の少なくとも１つのシリアル番号を読み出し、且つシリアル番号マスターファイル内の読み出された少なくとも１つのシリアル番号を使用済みにマークするために用いられる。生成モジュールは、シリアル番号読取モジュールとストレージユニットに接続し、イネーブル信号によって少なくとも１つのキャンペーン情報ファイル内のいずれかを取得し、且つ読み出したシリアル番号と取得したキャンペーン情報ファイルによってシリアル番号入り引換券を生成するために用いられる。プリントユニットは、レジモジュールと生成モジュールに接続し、且つ決済リスト及びシリアル番号入り引換券を少なくとも１枚の用紙上にプリントするために用いられる。
【０００６】
若干の実施例において、キャンペーンシリアル番号の発行システムは、水位判断モジュールとネットワークモジュールとを更に含むことができる。水位判断モジュールは、ストレージユニットに接続し、未使用のシリアル番号の残存数が水位制限を下回るかどうかを判断し、且つ残存数が水位制限を下回った時、番号割り当て要求を生成する。ネットワークモジュールは、水位判断モジュールに接続し、且つネットワークを経由して管理システムにリンクする。ネットワークモジュールは、ネットワークを経由して番号割り当て要求を管理システムに出力することで、管理システムから返された新しい複数のシリアル番号を取得する。
【０００７】
若干の実施例において、生成モジュールは、合成モジュールを含むことができる。合成モジュールは、シリアル番号読取モジュールとストレージユニットに接続し、且つ読み出したシリアル番号と取得したキャンペーン情報ファイルを合併してシリアル番号入り引換券となる。
【０００８】
若干の実施例において、生成モジュールは、バーコード生成モジュールと合成モジュールとを含むことができる。バーコード生成モジュールは、シリアル番号読取モジュールに接続し、且つ読み出したシリアル番号によって少なくとも１つのバーコードを生成するために用いられる。合成モジュールは、バーコード生成モジュールとストレージユニットに接続し、且つ生成したバーコードと取得したキャンペーン情報ファイルを合併してシリアル番号入り引換券となるために用いられる。
【０００９】
若干の実施例において、生成モジュールは、ＵＲＬ生成モジュールと合成モジュールとを含むことができる。ＵＲＬ生成モジュールは、シリアル番号読取モジュールに接続し、且つ読み出したシリアル番号及び基本アドレスバーによって少なくとも１つのリンク先ＵＲＬを生成するために用いられる。合成モジュールは、ＵＲＬ生成モジュールとストレージユニットに接続し、且つ生成したリンク先ＵＲＬと取得したキャンペーン情報ファイルを合併してシリアル番号入り引換券となるために用いられる。
【００１０】
若干の実施例において、キャンペーン情報ファイルの数量は、複数で、且つ各キャンペーン情報ファイルが一対一で完全な図案の複数図案ブロックのいずれかを有する。
【００１１】
一実施例において、キャンペーンシリアル番号の発行方法は、少なくとも１つのバーコードをスキャンして少なくとも１つのバーコードに対応する少なくとも１つのスキャン信号を生成することと、スキャン信号によって決済リストを生成することと、決済リスト及び進呈条件によってイネーブル信号を生成することと、イネーブル信号によってストレージユニット内からシリアル番号マスターファイル内の未使用の少なくとも１つのシリアル番号を読み出すと共にシリアル番号マスターファイル内の読み出されたシリアル番号を使用済みとマークすることと、イネーブル信号によって少なくとも１つのキャンペーン情報ファイル内のいずれかを取得すると共に読み出したシリアル番号と取得したキャンペーン情報ファイルによってシリアル番号入り引換券を生成することと、プリントユニットを用いて決済リスト及びシリアル番号入り引換券を少なくとも１枚の用紙上にプリントすることと、を含む。
【００１２】
若干の実施例において、キャンペーンシリアル番号の発行方法は、シリアル番号マスターファイル内の未使用のシリアル番号の残存数が水位制限を下回るかどうかを判断することと、残存数が水位制限を下回った時、番号割り当て要求を生成することと、ネットワークを経由して管理システムにリンクすることと、ネットワークを経由して番号割り当て要求を管理システムに出力することで、管理システムから返された新しい複数のシリアル番号を取得することとを更に含むことができる。
【００１３】
若干の実施例において、シリアル番号入り引換券生成ステップは、読み出したシリアル番号と取得したキャンペーン情報ファイルを合併してシリアル番号入り引換券となることと、を含むことができる。
【００１４】
若干の実施例において、シリアル番号入り引換券生成ステップは、読み出したシリアル番号によって少なくとも１つのバーコードを生成することと、生成したバーコードと取得したキャンペーン情報ファイルを合併してシリアル番号入り引換券となることと、を含むことができる。
【００１５】
若干の実施例において、シリアル番号入り引換券生成ステップは、読み出したシリアル番号及び基本ＵＲＬによって少なくとも１つのリンク先ＵＲＬを生成することと、生成したリンク先ＵＲＬと取得したキャンペーン情報ファイルを合併してシリアル番号入り引換券となることと、を含むことができる。
【００１６】
若干の実施例において、キャンペーン情報ファイルの数量が複数で、且つ各キャンペーン情報ファイルが一対一で完全な図案の複数図案ブロックのいずれかを有する。
【００１７】
一実施例において、キャンペーンシリアル番号の管理システムは、ストレージユニットとシリアル番号割り当てモジュールとファイリングモジュールとネットワークモジュールとを含む。ストレージユニットは、一シリアル番号マスターファイルを保存するために用いられる。シリアル番号割り当てモジュールは、ストレージユニットに接続し、複数台のＰＯＳレジスターによってシリアル番号マスターファイルから同一キャンペーンコードの同じグループ数の複数シリアル番号グループを読み出し、並びにシリアル番号マスターファイル内において読み出されたシリアル番号グループに対し番号割り当て済みのフラグを各々付けるために用いられる。同一キャンペーンコードのこれらシリアル番号グループ内の複数のシリアル番号は異なる。ファイリングモジュールは、シリアル番号割り当てモジュールに接続し、且つ読み出した各シリアル番号グループでシリアル番号マスターファイルを形成するために用いられる。ネットワークモジュールは、ファイリングモジュールに接続し、ネットワークを経由してＰＯＳレジスターにリンクし、且つネットワークを経由してこれらシリアル番号マスターファイルを一対一でこれらＰＯＳレジスターに出力するために用いられる。
【００１８】
若干の実施例において、キャンペーンシリアル番号の管理システムは、水位判断モジュールを更に含むことができ、且つ水位判断モジュールがストレージユニットに接続する。水位判断モジュールは、シリアル番号マスターファイル内の番号を割り当てていないシリアル番号グループの残存数が水位制限を下回るかどうかを判断し、且つ残存数が水位制限を下回った時、番号付与リクエストを生成するために用いられる。そこで、ネットワークモジュールは、更にネットワークを経由して管理プラットフォームにリンクし、またネットワークを経由して番号付与リクエストを管理プラットフォームに出力することで、管理プラットフォームから返された新しい複数のシリアル番号グループを取得するために用いられる。
【００１９】
若干の実施例において、ネットワークモジュールは、更にこれらＰＯＳレジスターのいずれかのネットワークを経由して発せられた番号割り当て要求を受信するために用いられる。シリアル番号割り当てモジュールは、更に番号割り当て要求に基づきシリアル番号マスターファイルから番号割り当て要求に対応するキャンペーンコードの１つのグループの番号を割り当てていないシリアル番号グループを読み出し、またシリアル番号マスターファイル内において読み出された番号を割り当てていないシリアル番号グループに対し番号割り当て済みのフラグを付けるために用いられる。そして、ネットワークモジュールは、更に番号割り当て要求に基づきネットワークを経由して読み出した番号を割り当てていないシリアル番号グループで形成したシリアル番号マスターファイルを対応するＰＯＳレジスターに返すために用いられる。
【００２０】
若干の実施例において、使用済みのフラグは、更に対応するシリアル番号グループが出力したＰＯＳレジスターを示す。
【００２１】
一実施例において、キャンペーンシリアル番号の管理方法は、ネットワークを経由して複数台のＰＯＳレジスターにリンクすることと、シリアル番号マスターファイルから同一キャンペーンコードの複数シリアル番号グループを読み出すことと、読み出した各シリアル番号グループで第１シリアル番号マスターファイルを形成することと、ネットワークを経由して第１シリアル番号マスターファイルを一対一でＰＯＳレジスターに出力することと、シリアル番号マスターファイル内において読み出されたシリアル番号グループに対し番号割り当て済みのフラグを各々マークすることと、を含む。読み出したシリアル番号グループのグループ数は、ＰＯＳレジスター数に等しく、且つシリアル番号グループ内の複数のシリアル番号は異なる。
【００２２】
若干の実施例において、キャンペーンシリアル番号の管理方法は、シリアル番号マスターファイル内の番号を割り当てていないシリアル番号グループの残存数が水位制限を下回るかどうかを判断することと、残存数が水位制限を下回った時、番号付与リクエストを生成することと、またネットワークを経由して番号付与リクエストを管理プラットフォームに出力することで、管理プラットフォームから返された新しい複数のシリアル番号グループを取得することと、を更に含むことができる。
【００２３】
若干の実施例において、キャンペーンシリアル番号の管理方法は、ネットワークを経由してこれらＰＯＳレジスターのいずれかから発せられた番号割り当て要求を受信することと、番号割り当て要求に基づきシリアル番号マスターファイルから番号割り当て要求に対応するキャンペーンコードの１つのグループの番号を割り当てていないシリアル番号グループを読み出すことと、シリアル番号マスターファイル内において読み出された未使用のシリアル番号グループに対し番号割り当て済みのフラグを付けることと、読み出した番号を割り当てていないシリアル番号グループで第２シリアル番号マスターファイルを形成することと、番号割り当て要求に基づきネットワークを経由して第２シリアル番号マスターファイルを対応するＰＯＳレジスターに返すことと、を更に含む。
【００２４】
若干の実施例において、使用済みのフラグは、更に対応するシリアル番号グループが出力したＰＯＳレジスターを示す。
【発明の効果】
【００２５】
上記を総合すると、本発明に係るキャンペーンシリアル番号の管理と発行システム及びその方法は、適時且つ適切にシリアル番号を本当に必要な店頭に割り当てることができ、また発行しないシリアル番号入り引換券を避けるため、自動的にマーケティングキャンペーン参加資格に達したかどうかを判断でき、並びに参加資格があった時にシリアル番号入り引換券をプリントし、簡単で且つ速やかにマーケティングキャンペーンの実施に提供できる。
【図面の簡単な説明】
【００２６】
【図１】本発明の一実施例に係るキャンペーンシリアル番号の管理システムを示す模式図である。
【図２Ａ】本発明の一実施例に係るキャンペーンシリアル番号の管理方法のフローチャートである。
【図２Ｂ】本発明の一実施例に係るキャンペーンシリアル番号の管理方法のフローチャートである。
【図３Ａ】シリアル番号マスターファイルの一実施例の第１状態を示す模式図である。
【図３Ｂ】シリアル番号マスターファイルの別の実施例を示す模式図である。
【図４】シリアル番号マスターファイルの一実施例を示す模式図である。
【図５】シリアル番号マスターファイルの別の実施例を示す模式図である。
【図６】図１のキャンペーンシリアル番号の管理システムの一実施状態を示す模式図である。
【図７Ａ】図３のシリアル番号マスターファイルの第２状態を示す模式図である。
【図７Ｂ】シリアル番号マスターファイルの更なる別の実施例を示す模式図である。
【図８Ａ】本発明の別の実施例に係るキャンペーンシリアル番号の管理システムを示す模式図である。
【図８Ｂ】本発明の更なる別の実施例に係るキャンペーンシリアル番号の管理システムを示す模式図である。
【図９】本発明の別の実施例に係るキャンペーンシリアル番号の管理方法の局部フローチャートである。
【図１０】図５のシリアル番号マスターファイルのマーク状態を示す模式図である。
【図１１】本発明の一実施例に係るキャンペーンシリアル番号の発行システムを示す模式図である。
【図１２Ａ】本発明の一実施例に係るキャンペーンシリアル番号の発行方法のフローチャートである。
【図１２Ｂ】本発明の一実施例に係るキャンペーンシリアル番号の発行方法のフローチャートである。
【図１３】マーケティングキャンペーンのキャンペーン情報ファイルを示す模式図である。
【図１４】別のマーケティングキャンペーンのキャンペーン情報ファイルを示す模式図である。
【図１５】図１４（Ａ）乃至図１４（Ｄ）のキャンペーン情報ファイルに対応する完全な図案を示す模式図である。
【図１６】シリアル番号入り引換券の一実施例を示す模式図である。
【図１７】ステップＳ５５の一実施例の細部フローチャートである。
【図１８】生成モジュールの一実施例を示す模式図である。
【図１９】ステップＳ５５の別の実施例の細部フローチャートである。
【図２０】ステップＳ５５の更なる別の実施例の細部フローチャートである。
【図２１】シリアル番号入り引換券の別の実施例を示す模式図である。
【図２２】生成モジュールの別の実施例を示す模式図である。
【図２３】シリアル番号入り引換券の更なる別の実施例を示す模式図である。
【発明を実施するための形態】
【００２７】
図１及び図２Ａを参照する。キャンペーンシリアル番号の管理システム１０は、シリアル番号割り当てモジュール１１０とファイリングモジュール１２０とストレージユニット１３０とネットワークモジュール１５０とを含む。
シリアル番号割り当てモジュール１１０は、ファイリングモジュール１２０とストレージユニット１３０に接続する。ネットワークモジュール１５０は、シリアル番号割り当てモジュール１１０とファイリングモジュール１２０に接続する。
【００２８】
ストレージユニット１３０は、シリアル番号マスターファイルを保存する。一実施例において、図３Ａ及び図３Ｂを参照する。シリアル番号マスターファイルＦ００が複数のシリアル番号を記録し、且つ各シリアル番号はキャンペーンコードとバッチ番号とを有する。
同一キャンペーンコードで且つ同一バッチ番号の複数のシリアル番号が１つのグループのシリアル番号グループＧ１、Ｇ２、Ｇ３とする。例を挙げると、シリアル番号マスターファイルＦ００は複数の欄を有し、これは例えばキャンペーンコードを記録するためのキャンペーンコード欄、バッチ番号を記録するためのバッチ番号欄、シリアル番号を記録するためのシリアル番号欄及びマシン番号を記録するためのマシン番号欄で、且つこれら欄の同一列の内容が１件のシリアル番号データである。そこで、１つのキャンペーンコードは、１つのマーケティングキャンペーンを表わす。異なるマーケティングキャンペーンは同時に行うことができ、また異なる期間に実施できる。次に、異なるマーケティングキャンペーンも一部のマーケティング期間に重なり、また一部が重ならないこともできる。
【００２９】
図３Ａに示すように、各シリアル番号は複数の漢字、複数の数字、複数のアルファーベット又はそれらの組み合わせからなる。若干の実施例において、同一のキャンペーンシリアル番号の全てのシリアル番号が異なる。別の若干の実施例において、図３Ｂに示すように、同一キャンペーンシリアル番号のシリアル番号内の一部が同じで且つ一部が異なる。言い換えると、同一キャンペーンシリアル番号（例えば、「Ａ００２」）内において、少なくとも１種類の内容（例えば、「買い物代金５０台湾ドル」）のシリアル番号の数はわずか１個だけで、且つもう１つの種類の内容（例えば、「５９０ｍｌのＸＸお茶１本」或いは「ＯＯＯ１つお買い上げで、１つ無料進呈」）のシリアル番号の数は複数となる。
【００３０】
ネットワークモジュール１５０が、ネットワーク２０を経由して複数台のサービス時点情報管理システム（ｐｏｉｎｔ  ｏｆ  ｓｅｒｖｉｃｅ、ＰＯＳ）レジスター３０−１〜３０−ｎに接続する（ステップＳ１１）。ｎは、１より大きい整数とする。
【００３１】
マーケティングキャンペーン実施開始の１回目の番号割り当てにおいて、シリアル番号割り当てモジュール１１０は、ＰＯＳレジスター３０−１〜３０−ｎの台数によってストレージユニット１３０内のシリアル番号マスターファイルＦ００内から同一キャンペーンコードの複数のグループ数の複数シリアル番号グループＧ１、Ｇ２を読み出し（ステップＳ１３）、且つ図３Ａに示すように、シリアル番号マスターファイルＦ００内の読み出されたシリアル番号グループに対して番号割り当て済みのフラグｆｇ１、ｆｇ２を付ける（ステップＳ１５）。そこで、読み出したシリアル番号グループのグループ数は、ＰＯＳレジスター３０−１〜３０−ｎの台数に等しくなる。
【００３２】
ファイリングモジュール１２０は、読み出した各シリアル番号グループでシリアル番号マスターファイルを形成（ステップＳ１７）し、そしてネットワークモジュール１５０がネットワーク２０を経由して形成したシリアル番号マスターファイルを一対一でＰＯＳレジスター３０−１〜３０−ｎに出力する（ステップＳ１９）。
【００３３】
図３Ａのシリアル番号マスターファイルＦ００で且つＰＯＳレジスター３０−１〜３０−ｎの台数が２の場合を例とすると、シリアル番号割り当てモジュール１１０がキャンペーンコードＡ００１内のバッチ番号が０００００１及び０００００２のシリアル番号グループＧ１、Ｇ２を読み出す（ステップＳ１３）。各組シリアル番号グループＧ１／Ｇ２は、数件のシリアル番号データを有する。一実施例において、シリアル番号グループＧ１、Ｇ２は、同じ件数のシリアル番号データを有する。
【００３４】
シリアル番号割り当てモジュール１１０は、シリアル番号マスターファイルＦ００内において読み出されたシリアル番号グループＧ１に対して番号割り当て済みのフラグｆｇ１を付け、且つ読み出されたシリアル番号グループＧ２に対して番号割り当て済みのフラグｆｇ２を付ける（ステップＳ１５）。
【００３５】
ファイリングモジュール１２０が読み出したシリアル番号グループＧ１でシリアル番号マスターファイルＦ１１（図４）を形成し、且つ読み出したシリアル番号グループＧ２でシリアル番号マスターファイルＦ１２（図５）を形成する（ステップＳ１７）。
【００３６】
ネットワークモジュール１５０は、ネットワーク２０を経由してシリアル番号マスターファイルＦ１１をＰＯＳレジスター３１に出力し、且つシリアル番号マスターファイルＦ１２をＰＯＳレジスター３３に出力する（ステップＳ１９）。
【００３７】
一実施例において、使用済みのフラグｆｇ１、ｆｇ２は、更に対応するシリアル番号グループＧ１、Ｇ２が出力したＰＯＳレジスター３０−１〜３０−ｎを示すことができる。例えばシリアル番号グループＧ１に対応する使用済みフラグｆｇ１がＰＯＳレジスター３１のマシン番号０１となり、シリアル番号グループＧ２に対応する使用済みのフラグｆｇ２がＰＯＳレジスター３３のマシン番号０２となる。
【００３８】
図６を参照する。マーケティングキャンペーンの実施過程において、シリアル番号割り当てモジュール１１０は、ネットワークモジュール１５０がネットワーク２０を経由してＰＯＳレジスター３３のいずれかから発せられる番号割り当て要求Ｒｄを受信したからどうかを検出できる（ステップＳ２１）。そこで、番号割り当て要求Ｒｄは、リクエストを発したＰＯＳレジスター３３の識別子及びシリアル番号をリクエストするキャンペーンコードＡ００１を有する。
【００３９】
ネットワークモジュール１５０がネットワーク２０を通じてＰＯＳレジスター３３からの番号割り当て要求Ｒｄを受信した後、シリアル番号割り当てモジュール１１０は番号割り当て要求Ｒｄ内のキャンペーンコードＡ００１によりシリアル番号マスターファイルＦ００から同一キャンペーンコードＡ００１の１つのグループの番号を割り当てていないシリアル番号グループＧ３（例えば使用済みのフラグを付けることなく且つバッチ番号が最小の１つのグループ）を読み出す（ステップＳ２３）。
また、図７Ａに示すように、シリアル番号割り当てモジュール１１０は、シリアル番号マスターファイルＦ００内において読み出された番号を割り当てていないシリアル番号グループＧ３に対して番号割り当て済みのフラグｆｇ２を付ける（ステップＳ２５）。
【００４０】
次に図２Ｂを参照する。ファイリングモジュール１２０は、更に読み出した番号を割り当てていないシリアル番号グループＧ３でシリアル番号マスターファイルＦ１３（図７Ａ及び図７Ｂ）を形成する（ステップＳ２７）。そしてネットワークモジュール１５０が番号割り当て要求Ｒｄ内のＰＯＳレジスター３３の識別子に基づきネットワーク２０を経由してシリアル番号マスターファイルＦ１３を対応するＰＯＳレジスター３３に返す（ステップＳ２９）。
【００４１】
図８Ａを参照する。若干の実施例において、キャンペーンシリアル番号の管理システム１０は、サーバーとすることができ、且つこれらＰＯＳレジスター３０−１〜３０−ｎと一緒にコンビニエンスストア内に設けられる。言い換えると、各コンビニエンスストアは、キャンペーンシリアル番号の管理システム１０と複数台のＰＯＳレジスター３０−１〜３０−ｎとを備え、且つこのキャンペーンシリアル番号の管理システム１０はネットワークを経由して店内の全てのＰＯＳレジスター３０−１〜３０−ｎにリンクする。
【００４２】
そこで、キャンペーンシリアル番号の管理システム１０は、水位判断モジュール１４０を更に含む。水位判断モジュール１４０は、シリアル番号割り当てモジュール１１０とストレージユニット１３０とネットワークモジュール１５０に接続する。且つ、ストレージユニット１３０は、更に水位制限（以下、「第１水位制限」という）を保存する。第１水位制限は、例えば１０００件のシリアル番号データであるが、本発明はこれに限られるものではない。
各シリアル番号グループＧ３が５０件のシリアル番号データ（この数量に限られるものではない）の場合、第１水位制限が２０グループとなる。各シリアル番号グループＧ３が１００件のシリアル番号データ（この数量に限られるものではない）の場合、第１水位制限は、１０グループとなる。実際に、第１水位制限は、このコンビニエンスストアの来客数によって決定できる。
【００４３】
再度番号割り当てるたびに、水位判断モジュール１４０は、シリアル番号マスターファイルＦ００内の番号を割り当てていないシリアル番号グループの残存数が第１水位制限を下回るかどうかを判断する（ステップＳ３１）。
【００４４】
シリアル番号マスターファイルＦ００内の番号を割り当てていないシリアル番号グループの残存数が第１水位制限を下回った時、水位判断モジュール１４０が番号付与リクエストＲｒを生成する（ステップＳ３３）。ネットワークモジュール１５０が、ネットワーク２０を経由して遠隔地の管理プラットフォーム４０にリンク（ステップＳ３５）し、且つネットワーク２０を経由して番号付与リクエストＲｒを管理プラットフォーム４０に出力する（ステップＳ３７）。管理プラットフォーム４０は、本部内に設けられ、またネットワーク２０を経由して各コンビニエンスストア店内のキャンペーンシリアル番号の管理システム１０にリンクする。
【００４５】
そこで、番号付与リクエストＲｒは、リクエストを発したキャンペーンシリアル番号の管理システム１０の識別子及びシリアル番号をリクエストするキャンペーンコードＡ００１を有する。管理プラットフォーム４０は、受信した番号付与リクエストＲｒに応答して番号付与リクエストＲｒ中のキャンペーンコードＡ００１に適合するシリアル番号マスターファイルＦ０１を生成し、且つ番号付与リクエストＲｒ内の識別子に基づいてシリアル番号マスターファイルＦ０１をネットワーク２０を経由して対応するキャンペーンシリアル番号の管理システム１０に返す。言い換えると、シリアル番号マスターファイルＦ０１は、新しい複数のシリアル番号グループを有する。
キャンペーンシリアル番号の管理システム１０は、番号付与リクエストＲｒの出力に応じて管理プラットフォーム４０から返されたシリアル番号マスターファイルＦ０１を受信する（ステップＳ３９）。そこで、キャンペーンシリアル番号の管理システム１０のアクセスモジュール（図示略）は、各シリアル番号マスターファイルＦ００、Ｆ０１を単独でストレージユニット１３０内に保存することで、その後の番号割り当ての使用に供することができる。
これ以外に、シリアル番号の管理システム１０のアクセスモジュールも先に全てのシリアル番号マスターファイルＦ００、Ｆ０１を単一のシリアル番号マスターファイルとして合併してからこの合併後の単一のシリアル番号マスターファイルをストレージユニット１３０内に保存してその後の番号割り当ての使用に供することができる。
【００４６】
図８Ｂを参照する。若干の実施例において、キャンペーンシリアル番号の管理システム１０は、本部内に設けられる管理プラットフォーム４０とすることができ、且つネットワーク２０を経由して各コンビニエンスストア店内のＰＯＳレジスター３０−１〜３０−ｎにリンクする。
図８Ｂを参照する。この場合、キャンペーンシリアル番号の管理システム１０は、スクリーン１６０を更に含むことができ、且つスクリーン１６０が水位判断モジュール１４０に接続する。
図９を合わせて参照する。シリアル番号マスターファイルＦ００内の番号を割り当てていないシリアル番号グループの残存数が水位制限を下回る時、水位判断モジュール１４０が、知らせメッセージＡｎを生成（ステップＳ３３’）し、且つこの知らせメッセージＡｎがシステム管理者に知らせるため、スクリーン１６０上に表示される（ステップＳ３５’）。
【００４７】
そこで、シリアル番号割り当てモジュール１１０、ファイリングモジュール１２０、水位判断モジュール１４０及びアクセスモジュールは、１個又は複数の処理素子で実現できる。よって、本発明に係るキャンペーンシリアル番号の管理方法は、１個又は複数の処理素子を通じてソフトウェアプログラムを実行して実現できる。
【００４８】
各コンビニエンスストア内の各ＰＯＳレジスター３０−１〜３０−ｎ（以下、総称して「３０」という）が、キャンペーンシリアル番号の発行システムを実現する。言い換えると、ＰＯＳレジスター３０は、キャンペーンシリアル番号の発行方法を実現するソフトウェアプログラムを実行してシリアル番号入り引換券を発行するかどうかを決定できる。
図１１を参照する。ＰＯＳレジスター３０は、バーコードスキャナ３１０とレジモジュール３２０とストレージユニット３３０とネットワークモジュール３５０とキャンペーン判断モジュール３６０とシリアル番号読取モジュール３７０と生成モジュール３８０とプリントユニット３９０と、を含む。レジモジュール３２０は、バーコードスキャナ３１０とストレージユニット３３０とプリントユニット３９０に接続する。キャンペーン判断モジュール３６０は、レジモジュール３２０とストレージユニット３３０とシリアル番号読取モジュール３７０と生成モジュール３８０に接続する。シリアル番号読取モジュール３７０は、ストレージユニット３３０と生成モジュール３８０に接続する。生成モジュール３８０は、プリントユニット３９０に接続する。
ネットワークモジュール３５０は、ネットワーク２０を経由してキャンペーンシリアル番号の管理システム１０にリンクし、またネットワーク２０を経由してキャンペーンシリアル番号の管理システム１０からのシリアル番号マスターファイルＦ１１／Ｆ１２／Ｆ１３を受信する。ＰＯＳレジスター３０のアクセスモジュール（図示略）が受信したシリアル番号マスターファイルＦ１１／Ｆ１２／Ｆ１３をストレージユニット３３０内に保存する。
【００４９】
図１２Ａを合わせて参照する。バーコードリーダー３１０が少なくとも１つのバーコードをスキャンしてバーコードに対応する少なくとも１つのスキャン信号を生成（ステップＳ４１）し、そしてレジモジュール３２０がスキャン信号によって決済リストを生成する（ステップＳ４３）。若干の実施例において、バーコードは、消費者が購買しようとする商品（以下、「購買商品」という）上の商品バーコードとすることができる。店員は、バーコードリーダー３１０で各購買商品上の商品バーコードをスキャンして対応のスキャン信号を生成する。レジモジュール３２０がスキャン信号によって購買商品に対応する商品名称、商品種類、購買数量及び商品販売価格等の商品情報を得ると共にこれをもって対応する決済リストを作成する。そこで、決済リスト内の決済情報は、これら購買商品の商品情報と決済金額とを含み、且つこの決済金額が全ての購買商品の購買数量及び商品販売価格に基づいて算出した総額である。
若干の実施例において、バーコードは消費者が支払こうとする支払請求書（以下、「収納代行請求書」という）上の支払バーコードとすることもできる。店員は、バーコードリーダー３１０で各請求書上の支払バーコードをスキャンして、対応のスキャン信号を生成する。レジモジュール３２０は、スキャン信号によってこの請求書の支払うべき金額等の請求書情報を得ると共にこれをもって対応の決済リストを作成する。そこで、決済リスト内の決済情報には、各請求書情報と全ての支払うべき金額を総計して得た決済金額とを含む。商品バーコードは、一次元バーコード或いは二次元バーコードとすることができる。支払バーコードも一次元バーコード或いは二次元バーコードとすることができる。これ以外に、一次元バーコードも１段（例：ｃｏｄｅ  １２８）又は多段とすることができる。
【００５０】
ストレージユニット３３０は、各キャンペーンコードに対応する進呈条件を保存する。以下は、キャンペーンコードＡ００１及びシリアル番号マスターファイルＦ１２を例とする。
キャンペーン判断モジュール３６０は、決済リスト内の決済情報が進呈条件を満たしているかどうかを判断する（ステップＳ４５）。決済リスト内の決済情報が進呈条件を満たしていた時、キャンペーン判断モジュール３６０はイネーブル信号を生成する（ステップＳ４７）。進呈条件は、特定取引項目の数量或いは特定取引項目の総額とすることができる。特定取引項目の数量は、例えば特定数量の収納代行・支払代行の取引又は特定種類の商品の購買数量である。例を挙げると、進呈条件を２件の収納代行・支払代行と仮定した場合、キャンペーン判断モジュール３６０が決済リスト内の収納代行・支払代行の請求書の件数が２件より大きいか又は等しいかを判断する。特定取引項目の総額は、例えばタバコ以外商品の購買総額である。例を挙げると、進呈条件をタバコ以外商品の購買総額が１１０台湾ドルになると仮定した場合、キャンペーン判断モジュール３６０は決済リスト内のタバコ以外商品の決済金額が１１０より大きいか又は等しいかを判断する。
【００５１】
シリアル番号の読取モジュール３７０は、イネーブル信号によってストレージユニット３３０内のシリアル番号マスターファイルＦ１２内から未使用のシリアル番号（図５に示すような「ＲｔｙＵ７８Ｄｆｇ５ｏ」）を読み出す（ステップＳ４９）。且つ、シリアル番号読取モジュール３７０がシリアル番号マスターファイルＦ１２内の読み出されたシリアル番号を使用済みとマークし（ステップＳ５１）、例えば図１０に示す使用済みのフラグｆｇ３である。
【００５２】
生成モジュール３８０は、イネーブル信号によって少なくとも１つのキャンペーン情報ファイル内のいずれかを取得（ステップＳ５３）し、且つ読み出した少なくとも１つのシリアル番号と取得したキャンペーン情報ファイルによってシリアル番号入り引換券を生成する（ステップＳ５５）。そしてプリントユニット３９０が決済リスト及びシリアル番号入り引換券を少なくとも１枚の用紙上にプリント（ステップＳ５７）することで、消費者に提供する取引領収書（決済リストを有する）及び実シリアル番号入り引換券を生成する。
若干の実施例において、消費者は電子機器で特定ウェブサイト或いは特定ゲームにリンクして特定ウェブサイト或いは特定ゲーム内において実シリアル番号入り引換券に表示されるシリアル番号でバーチャルプレゼント、現金引換票、特定商品引換券或いは特定商品の割引券等の特典に引き換え、若しくは電子機器を利用してシリアル番号を有するリンク先ＵＲＬで専属ウェブサイトにリンクし、また専属ウェブサイト上においてアンケートに記入することで特典を得る。若干の実施例において、消費者は、実シリアル番号入り引換券を収集して特定条件（例えば、複数の実シリアル番号入り引換券上の画像パズル又は特定枚数の実シリアル番号入り引換券を完成する）をクリアして特典を得ることができ、例えば特定商品に引き換え又は特定商品の引換券或いは割引券とする。そこで、実シリアル番号入り引換券上のシリアル番号は、偽造防止の識別とすることができる。言い換えると、同一キャンペーンコード内の各シリアル番号は唯一性を持っている。若干の実施例において、消費者は実シリアル番号入り引換券上のシリアル番号成分付きのバーコード（つまり、レジスターに読み込ませて特定商品の相殺／引き換え情報を取得）を組み合わせて、特定商品の決済帳を行うことで、特定商品の価格と相殺し又は特定商品に無料で引き換える。
【００５３】
若干の実施例において、ストレージユニット３３０は、更に１個又は複数のキャンペーン情報ファイルを保存でき、且つ各キャンペーン情報ファイルがマーケティングキャンペーンに属し、つまりキャンペーンコードに対応する。ステップＳ５３内において、生成モジュール３８０はイネーブル信号（キャンペーンコード或いは識別子を有する）に応答し、ストレージユニット３３０がキャンペーンコードに対応するキャンペーン情報ファイルを見つけ出し、またそれをストレージユニット３３０から読み出す。
【００５４】
別の若干の実施例において、キャンペーン情報ファイルは、キャンペーンシリアル番号の管理システム１０のストレージユニット１３０内に保存でき、且つ各キャンペーン情報ファイルがマーケティングキャンペーンに属し、つまりキャンペーンコードに対応する。ステップＳ５３において、生成モジュール３８０がイネーブル信号（キャンペーンコード或いは識別子を有する）に応答し、ネットワークモジュール３５０を経由してキャンペーンシリアル番号の管理システム１０からキャンペーンコードに対応するキャンペーン情報ファイルを取得する。
【００５５】
そこで、キャンペーン情報ファイルは、画像ファイル（図１４Ａ乃至図１４Ｄ）、テキストファイル又は少なくとも１つの画像と複数文字で構成されるテキスト・画像ファイル（図１３）とすることができる。
図１３を参照する。キャンペーン情報ファイルＩＦ０は、ヘッダゾーンＡＲ１と画像ゾーンＡＲ２とシリアル番号設置ゾーンＡＲ４と説明文ゾーンＡＲ３、ＡＲ５等のゾーンとを備える。ヘッダゾーンＡＲ１、画像ゾーンＡＲ２及び説明文ゾーンＡＲ３、ＡＲ５は、一定不変の内容であり、シリアル番号設置ゾーンＡＲ４が空白内容又はシリアル番号挿入位置をマークするプログラム言語とする。テキストファイルのキャンペーン情報ファイルは、画像ゾーンＡＲ２を有せず、且つシリアル番号設置ゾーンＡＲ４を除いた内容は純文字とする。
図１４（Ａ）乃至図１４（Ｄ）に示すように、画像ファイルのキャンペーン情報ファイルＩＦ１、ＩＦ２、ＩＦ３、ＩＦ４は、ヘッダゾーン及び説明文ゾーンを有せず、つまりシリアル番号設置ゾーンＡＲ４を除いた内容は画像とする。同様に、テキスト・画像ファイルのキャンペーン情報ファイルは、ヘッダゾーンＡＲ１、画像ゾーンＡＲ２、シリアル番号設置ゾーンＡＲ４及び説明文ゾーンＡＲ３、ＡＲ５等のゾーン内に少なくとも１つのゾーンを純文字とし且つ少なくとも１つのゾーンを画像とし、若しくはヘッダゾーンＡＲ１、画像ゾーンＡＲ２、シリアル番号設置ゾーンＡＲ４及び説明文ゾーンＡＲ３、ＡＲ５等のゾーン内に少なくとも１つのゾーンを画像とテキストで構成される内容とする。
【００５６】
若干の実施例において、図１４（Ａ）乃至図１４（Ｄ）を参照する。１つのマーケティングキャンペーンは、複数のキャンペーン情報ファイルＩＦ１、ＩＦ２、ＩＦ３、ＩＦ４を有することができる。
図１４（Ａ）乃至図１４（Ｄ）及び図１５を参照する。キャンペーン情報ファイルＩＦ１が完全な図案ＷＰを構成する複数の図案ブロックＰ１、Ｐ２、Ｐ３、Ｐ４内の図案ブロックＰ１を有し、キャンペーン情報ファイルＩＦ２が完全な図案ＷＰを構成する複数の図案ブロックＰ１、Ｐ２、Ｐ３、Ｐ４内の図案ブロックＰ２を有し、キャンペーン情報ファイルＩＦ３が完全な図案ＷＰを構成する複数の図案ブロックＰ１、Ｐ２、Ｐ３、Ｐ４内の図案ブロックＰ３を有し、またキャンペーン情報ファイルＩＦ４が完全な図案ＷＰを構成する複数の図案ブロックＰ１、Ｐ２、Ｐ３、Ｐ４内の図案ブロックＰ４を有する。この場合、ステップＳ５３において、生成モジュール３８０はイネーブル信号によってキャンペーン情報ファイルＩＦ１、ＩＦ２、ＩＦ３、ＩＦ４のいずれかをランダム取得する。キャンペーン情報ファイルＩＦ１、ＩＦ２、ＩＦ３、ＩＦ４の取得確率は、異なるように設計できる。次に、キャンペーン情報ファイルＩＦ１、ＩＦ２、ＩＦ３、ＩＦ４のいずれかの取得確率は、他のキャンペーン情報ファイルよりはるかに小さくにするよう設計できる。
【００５７】
若干の実施例において、生成モジュール３８０は、合成モジュール（図示略）を含み、合成モジュールはキャンペーン判断モジュール３６０とシリアル番号読取モジュール３７０とプリントユニット３９０に接続する。
図１７を参照する。ステップＳ５５において、合成モジュールは読み出したシリアル番号ＳＮ（図５に示す「ＲｔｙＵ７８Ｄｆｇ５ｏ」）と取得したキャンペーン情報ファイルＩＦ０を合併してシリアル番号入り引換券ＳＰ０（図１６）となる（ステップＳ５５１）。
【００５８】
若干の実施例において、図１８を参照する。生成モジュール３８０は、バーコード生成モジュール３８１と合成モジュール３８３とを含む。バーコード生成モジュール３８１は、キャンペーン判断モジュール３６０とシリアル番号読取モジュール３７０に接続し、合成モジュール３８３がバーコード生成モジュール３８１とプリントユニット３９０の間を接続する。
【００５９】
図１９を参照する。ステップＳ５５において、バーコード生成モジュール３８１は、まず読み出した各シリアル番号によってバーコードＢＣを生成（ステップＳ５５３）をしてから合成モジュール３８３が更に生成したバーコードＢＣと取得したキャンペーン情報ファイルＩＦ０を合併してシリアル番号入り引換券ＳＰ１（図２１）となる（ステップＳ５５５）。そこで、各バーコードは、一次元バーコード又は二次元バーコードとすることができる。
【００６０】
そこで、バーコード生成モジュール３８１は、読み出した各シリアル番号をバーコードとして直接コーディングできることで、消費者がモバイルデバイスで直接このバーコードをスキャンして自動的にこのシリアル番号をモバイルデバイスに入力できる。このほかに、バーコード生成モジュール３８１は、読み出した各シリアル番号と基本アドレスバーをリンク先ＵＲＬとして結合してからこのリンク先ＵＲＬをバーコードとしてコーディングすることで、消費者がモバイルで直接このバーコードをスキャンして専属ウェブサイトにリンクし、或いはモバイルデバイスで直接このバーコードをスキャンしてシリアル番号の登録ウェブサイトにリンクできると共に登録ウェブサイトの入力欄内に直接シリアル番号をロードできる。
【００６１】
図２２を参照する。若干の実施例において、生成モジュール３８０は、ＵＲＬ生成モジュール３８２と合成モジュール３８３とを含む。ＵＲＬ生成モジュール３８２は、キャンペーン判断モジュール３６０とシリアル番号読取モジュール３７０に接続し、合成モジュール３８３がＵＲＬ生成モジュール３８２とプリントユニット３９０の間を接続する。
【００６２】
図２０を参照する。ステップＳ５５において、ＵＲＬ生成モジュール３８２は、読み出した少なくとも１つのシリアル番号及び基本アドレスバーによって少なくとも１つのリンク先ＵＲＬＷＥＢを生成する（ステップＳ５５７）。言い換えると、ＵＲＬ生成モジュール３８２は、読み出した各シリアル番号を個別に基本アドレスバーとリンク先ＵＲＬＷＥＢとして結合する。そして、合成モジュール３８３は、更に生成されたリンク先ＵＲＬＷＥＢを取得したキャンペーン情報ファイルＩＦ０と合併してシリアル番号入り引換券ＳＰ２（図２３）となる（ステップＳ５５９）。
【００６３】
若干の実施例において、合成モジュール３８３は、生成されたバーコードＢＣ又はリンク先ＵＲＬＷＥＢのみを取得したキャンペーン情報ファイルＩＦ０と合併してシリアル番号入り引換券ＳＰ１になり、また読み出したシリアル番号と生成されたバーコードを一緒に取得したキャンペーン情報ファイルＩＦ０と合併してシリアル番号入り引換券ＳＰ１になり或いはリンク先ＵＲＬと生成されたバーコードを一緒に取得したキャンペーン情報ファイルＩＦ０と合併してシリアル番号入り引換券ＳＰ１とすることができる。
【００６４】
若干の実施例において、マーケティングキャンペーンは、１件につき取引が１つのシリアル番号のみの発行を設定できる。別の若干の実施例において、マーケティングキャンペーンでは、進呈条件を満たした回数によって発行するシリアル番号の数量を決定するよう設計することもできる。この場合、キャンペーン判断モジュール３６０は、更に進呈条件を満たした回数によってシリアル番号の数量を計算することで、シリアル番号読取モジュール３７０に対応する数量のシリアル番号を読み出させる。そこで、生成モジュール３８０は、１枚のシリアル番号入り引換券のみを生成でき、このシリアル番号入り引換券上には、全てのシリアル番号又は全てのシリアル番号から派生した情報（バーコード或いはリンク先ＵＲＬ）を有する。
【００６５】
若干の実施例において、図１１を参照する。ＰＯＳレジスター３０は、水位判断モジュール３４０を更に含むことができ、且つ水位判断モジュール３４０がストレージユニット３３０とネットワークモジュール３５０とシリアル番号読取モジュール３７０に接続する。ストレージユニット３３０は、水位制限（以下、「第２水位制限」という）を更に保存する。第２水位制限は例えば１５件のシリアル番号データとしているが、本発明はこれに限られるものではない。実際、第２水位制限は、このコンビニエンスストアの来客数によって決定できる。
【００６６】
図１２Ｂを参照する。マークするたびに、又はシリアル番号入り引換券を生成するたびに、或いはシリアル番号入り引換券をプリントするたびに、水位判断モジュール３４０がシリアル番号マスターファイルＦ１２内の未使用のシリアル番号の残存数が第２水位制限を下回るかどうかを判断する（ステップＳ５９）。
【００６７】
シリアル番号マスターファイルＦ１２内の未使用のシリアル番号の残存数が第２水位制限を下回った時、水位判断モジュール３４０は、番号割り当て要求Ｒｄを生成する（ステップＳ６１）。ネットワークモジュール３５０は、ネットワーク２０を経由してキャンペーンシリアル番号の管理システム１０に接続（ステップＳ６３）し、且つネットワーク２０を経由して番号割り当て要求Ｒｄをキャンペーンシリアル番号の管理システム１０に出力する（ステップＳ６５）。
【００６８】
そこで、番号割り当て要求Ｒｄは、リクエストを発したＰＯＳレジスター３０の識別子及びシリアル番号をリクエストするキャンペーンコードＡ００１を有する。キャンペーンシリアル番号の管理システム１０は、受信した番号割り当て要求Ｒｄに応答して番号割り当て要求Ｒｄ内のキャンペーンコードＡ００１に適合するシリアル番号マスターファイルＦ１３を生成し、且つ番号割り当て要求Ｒｄ内の識別子に基づきシリアル番号マスターファイルＦ１３をネットワーク２０を経由して対応するＰＯＳレジスター３０に返す。言い換えると、シリアル番号マスターファイルＦ１３は、新しい複数のシリアル番号（未使用）を有する。
ＰＯＳレジスター３０は、番号割り当て要求Ｒｄの出力に対応してキャンペーンシリアル番号の管理システム１０から返されたシリアル番号マスターファイルＦ１３を受信する（ステップＳ６７）。そこで、ＰＯＳレジスター３０のアクセスモジュール（図示略）は、各シリアル番号マスターファイルＦ１１、Ｆ１３を単独でストレージユニット３３０内に保存することで、その後の発行の使用に供することができる。このほかに、ＰＯＳレジスター３０のアクセスモジュールもまず全てのシリアル番号マスターファイルＦ１１、Ｆ１３を合併して単一のシリアル番号マスターファイルとなり、またこの合併後単一のシリアル番号マスターファイルをストレージユニット１３０内に保存することで、その後の発行の使用に供することができる。
【００６９】
そこで、レジモジュール３２０、水位判断モジュール３４０、キャンペーン判断モジュール３６０、シリアル番号読取モジュール３７０と生成モジュール３８０も１個又は複数の処理素子で実現できる。よって、本発明に係るキャンペーンシリアル番号の発行方法は、１個又は複数の処理素子を通じてソフトウェアプログラムを実行することで実現できる。
【００７０】
例を挙げると、本部の管理プラットフォーム４０においてマーケティングキャンペーンの関連するキャンペーンファイリングを行ってからネットワークを通じて各店頭（傘下の各コンビニエンスストア）のメインサーバーに配信され、最終的に更にメインサーバーから店頭の各ＰＯＳレジスターに配信して実行する。
管理プラットフォーム４０のファイリングは、キャンペーンシリアル番号の発行方法を実現するソフトウェアプログラムをビルドする以外に、マーケティングキャンペーンの進呈条件及びキャンペーン期間の全てのシリアル番号のシリアル番号マスターファイルを設定できる。このほかに、管理プラットフォーム４０のファイリングは、更にキャンペーンシリアル番号の管理方法を実現するソフトウェアプログラムをビルドしてから更にネットワークを通じて各店頭のメインサーバーに配信して実行する。
【００７１】
このほかに、店頭内の各ＰＯＳレジスター３０は、定刻にストレージユニット３３０内のシリアル番号マスターファイルをメインサーバーに返してからメインサーバーが更にシリアル番号マスターファイル内の各シリアル番号の使用状態（使用済みのマークの有無）をシリアル番号マスターファイルに統合する。メインサーバーは更に定刻或いはマーケティングキャンペーンの終了時に統合後のシリアル番号マスターファイルを本部の管理プラットフォーム４０に返すことで、マーケティングキャンペーン全体で発行されたシリアル番号の数量を集計し、更に発行済みのシリアル番号及び／或いは未発行のシリアル番号の明細も提供する。
管理プラットフォーム４０が各店頭の各ＰＯＳレジスター３０を直接管理する場合、店頭内の各ＰＯＳレジスター３０も定刻或いはマーケティングキャンペーンの終了時にストレージユニット３３０内のシリアル番号マスターファイルを管理プラットフォーム４０に返すことで、マーケティングキャンペーン全体で発行されたシリアル番号の数量を集計し、更には発行済みのシリアル番号及び／或いは未発行のシリアル番号の明細を提供する。
【００７２】
前記各処理素子は、マイクロプロセッサ、マイクロコントローラ、デジタル信号プロセッサ、マイクロコンピュータ、中央処理装置、フィールドプログラマブルゲートアレイ、プログラマブルロジックデバイス、ステートマシン、ロジック回路、アナログ回路、デジタル回路及び／或いは操作コマンドの操作信号（アナログ及び／或いはデジタル）に基づくいかなる装置とすることができるが、ここでそれに限られるものではない。
前記各ストレージユニットは、関連のソフトウェア／ファームウェアプログラム、データ、ファイル又はそれらの組み合わせ等を保存するために用いられる。各ストレージユニットは、１個或いは複数のストレージ素子で実現できる。そこで、ストレージ素子は、例えば揮発性メモリー或いは不揮発性メモリー等とすることができるものとするが、ここでそれに限られるものではない。前記各ネットワークモジュールは、有線ネットワークモジュール、無線ネットワークモジュール又はそれらの組み合わせとすることができる。前記プリントユニットは、感熱式或いは熱転写式のプリンタとするがことできる。
【００７３】
若干の実施例において、本発明に係るキャンペーンシリアル番号の管理方法は、コンピュータプログラム製品で実現でき、コンピュータ（つまり、メインサーバー又は管理プラットフォーム）にプログラムをロードして実行した後、本発明のいずれかの実施例に係るキャンペーンシリアル番号の管理方法を完成させることができる。
若干の実施例において、本発明に係るキャンペーンシリアル番号の発行方法は、コンピュータプログラム製品で実現でき、コンピュータ（つまり、ＰＯＳレジスター）にプログラムをロードして実行した後、本発明のいずれかの実施例に係るキャンペーンシリアル番号の発行方法を完成させることができる。若干の実施例において、コンピュータプログラム製品は、読み取り可能な記録媒体とすることができ、また上記プログラムが読み取り可能な記録媒体内に保存してコンピュータのロードに供する。若干の実施例において、上記プログラム自体は、コンピュータプログラム製品とすることができ、且つ有線或いは無線の方式を通じてコンピュータ内に伝送する。
【００７４】
上記を総合すると、本発明に係るキャンペーンシリアル番号の管理と発行システム及びその方法は、適時且つ適切にシリアル番号を本当に必要な店頭に割り当てることができ、また発行しないシリアル番号入り引換券を避けるため、自動的にマーケティングキャンペーン参加資格に達したかどうかを判断でき、並びに参加資格があった時にシリアル番号入り引換券をプリントし、簡単で且つ速やかにマーケティングキャンペーンの実施に提供できる。
【００７５】
本発明について例示的に好ましい実施例を挙げて説明したが、本発明はここに開示された実施態様のみに限定されないと理解されるべきである。反対に、本発明の特許請求の範囲の要旨に含まれるさまざまな変更や類似の配置も本発明に含まれるものとし、本発明の請求範囲は、そのような変更と類似の構造のすべてを網羅するように最も幅広く解釈されるべきである。
【符号の説明】
【００７６】
１０  キャンペーンシリアル番号の管理システム
１１０  シリアル番号割り当てモジュール
１２０  ファイリングモジュール
１３０  ストレージユニット
１４０  水位判断モジュール
１５０  ネットワークモジュール
１６０  スクリーン
２０  ネットワーク
３０  ＰＯＳレジスター
３１０  バーコードスキャナ
３２０  レジモジュール
３３０  ストレージユニット
３４０  水位判断モジュール
３５０  ネットワークモジュール
３６０  キャンペーン判断モジュール
３７０  シリアル番号読取モジュール
３８０  生成モジュール
３８１  バーコード生成モジュール
３８２  ＵＲＬ生成モジュール
３８３  合成モジュール
３９０  プリントユニット
３０−１  ＰＯＳレジスター
３０−ｎ  ＰＯＳレジスター
４０  管理プラットフォーム
Ｆ００  シリアル番号マスターファイル
Ｆ０１  シリアル番号マスターファイル
Ｆ１１  シリアル番号マスターファイル
Ｆ１２  シリアル番号マスターファイル
Ｆ１３  シリアル番号マスターファイル
Ｇ１  シリアル番号グループ
Ｇ２  シリアル番号グループ
Ｇ３  シリアル番号グループ
ｆｇ１  番号割り当て済みのフラグ
ｆｇ２  番号割り当て済みのフラグ
ｆｇ３  使用済みのフラグ
Ｒｄ  番号割り当て要求
Ｒｒ  番号付与リクエスト
Ａｎ  知らせメッセージ
ＩＦ０  キャンペーン情報ファイル
ＩＦ１  キャンペーン情報ファイル
ＩＦ２  キャンペーン情報ファイル
ＩＦ３  キャンペーン情報ファイル
ＩＦ４  キャンペーン情報ファイル
ＡＲ１  ヘッダゾーン
ＡＲ２  画像ゾーン
ＡＲ３  説明文ゾーン
ＡＲ４  シリアル番号設置ゾーン
ＡＲ５  説明文ゾーン
ＷＰ  完全な図案
Ｐ１  図案ブロック
Ｐ２  図案ブロック
Ｐ３  図案ブロック
Ｐ４  図案ブロック
ＳＰ０  シリアル番号入り引換券
ＳＰ１  シリアル番号入り引換券
ＳＰ２  シリアル番号入り引換券
ＳＮ  シリアル番号
ＢＣ  バーコード
ＷＥＢ  リンク先ＵＲＬ
Ｓ１１  ネットワークを経由して複数台のＰＯＳレジスターに接続
Ｓ１３  シリアル番号マスターファイル内から同一キャンペーンコードの複数のシリアル番号グループの読み出し
Ｓ１５  シリアル番号マスターファイル内の読み出されたシリアル番号グループに対して番号割り当て済みのフラグ付け
Ｓ１７  読み出した各シリアル番号グループでシリアル番号マスターファイルを形成
Ｓ１９  ネットワークを経由して形成したシリアル番号マスターファイルを一対一でＰＯＳレジスターに出力
Ｓ２１  番号割り当て要求を受信の有無
Ｓ２３  番号割り当て要求によりシリアル番号マスターファイルから番号割り当て要求に対応するキャンペーンコードの１つのグループの番号を割り当てていないシリアル番号グループの読み出し
Ｓ２５  シリアル番号マスターファイル内において読み出された番号を割り当てていないシリアル番号グループに対して番号割り当て済みのフラグ付け
Ｓ２７  読み出した番号を割り当てていないシリアル番号グループでシリアル番号マスターファイルを形成
Ｓ２９  番号割り当て要求によりネットワークを経由して形成されたシリアル番号マスターファイルを対応するＰＯＳレジスターに返す
Ｓ３１  残存数が第１水位制限の下回りの有無
Ｓ３３  番号付与リクエストの生成
Ｓ３５  ネットワークを経由して管理プラットフォームにリンク
Ｓ３７  ネットワークを経由して番号付与リクエストを管理プラットフォームに出力
Ｓ３９  管理プラットフォームから返された新しい複数のシリアル番号グループのいずれかを有するマスターファイルを取得
Ｓ３３’  知らせメッセージの生成
Ｓ３５’  知らせメッセージがスクリーン上に表示
Ｓ４１  少なくとも１つのバーコードをスキャンしてバーコードに対応する少なくとも１つのスキャン信号を生成
Ｓ４３  少なくとも１つのスキャン信号によって決済リストを生成
Ｓ４５  進呈条件を満たしているかどうかの有無
Ｓ４７  イネーブル信号の生成
Ｓ４９  イネーブル信号によってストレージユニットから未使用のシリアル番号の読み出し
Ｓ５１  シリアル番号マスターファイル内の読み出されたシリアル番号を使用済みとマーク
Ｓ５３  イネーブル信号によって少なくとも１つのキャンペーン情報ファイル内のいずれかを取得
Ｓ５５  読み出した少なくとも１つのシリアル番号と取得したキャンペーン情報ファイルによってシリアル番号入り引換券を生成
Ｓ５７  決済リスト及びシリアル番号入り引換券を１枚又は数枚の用紙上にプリント
Ｓ５９  残存数が第２水位制限を下回るかどうか
Ｓ６１  番号割り当て要求の生成
Ｓ６３  ネットワークを経由して管理システムに接続
Ｓ６５  ネットワークを経由して番号割り当て要求を管理システムに出力
Ｓ６７  管理システムから返された新しい複数のシリアル番号のいずれかを有するマスターファイルを取得
Ｓ５５１  読み出した少なくとも１つのシリアル番号と取得したキャンペーン情報ファイルを合併してシリアル番号入り引換券となる
Ｓ５５３  読み出した少なくとも１つのシリアル番号によって少なくとも１つのバーコードを生成
Ｓ５５５  生成した少なくとも１つのバーコードと取得したキャンペーン情報ファイルを合併してシリアル番号入り引換券となる
Ｓ５５７  読み出した少なくとも１つのシリアル番号及び基本アドレスバーによって少なくとも１つのリンク先ＵＲＬを生成
Ｓ５５９  生成された少なくとも１つのリンク先ＵＲＬを取得したキャンペーン情報ファイルと合併してシリアル番号入り引換券となる
【図１】
2016100022.tif 000003
【図２Ａ】
2016100022.tif 000004
【図２Ｂ】
2016100022.tif 000005
【図３Ａ】
2016100022.tif 000006
【図３Ｂ】
2016100022.tif 000007
【図４】
2016100022.tif 000008
【図５】
2016100022.tif 000009
【図６】
2016100022.tif 000010
【図７Ａ】
2016100022.tif 000011
【図７Ｂ】
2016100022.tif 000012
【図８Ａ】
2016100022.tif 000013
【図８Ｂ】
2016100022.tif 000014
【図９】
2016100022.tif 000015
【図１０】
2016100022.tif 000016
【図１１】
2016100022.tif 000017
【図１２Ａ】
2016100022.tif 000018
【図１２Ｂ】
2016100022.tif 000019
【図１３】
2016100022.tif 000020
【図１４】
2016100022.tif 000021
【図１５】
2016100022.tif 000022
【図１６】
2016100022.tif 000023
【図１７】
2016100022.tif 000024
【図１８】
2016100022.tif 000025
【図１９】
2016100022.tif 000026
【図２０】
2016100022.tif 000027
【図２１】
2016100022.tif 000028
【図２２】
2016100022.tif 000029
【図２３】
2016100022.tif 000030